(57)【要約】      （修正有）【課題】洗濯後衣類乾燥機として、吊下した洗濯物の表面を上部から下部に強制送風し、シワのない衣類の乾燥を可能とし、また組立設置が簡単にできる乾燥機を提供する。【解決手段】本簡易組立式送風型衣類乾燥機は、大略、継手管及び直管によりパイプ組みされたパイプケース本体、ケース本体１に被冠する通気性カバー２、ケース本体天井に搭載し下方に強制送風するモーター・ファン３、ケース本体下端に装着のキャスター４及びファン駆動をする操作盤５から構成する。【選択図】図２
0003171353.tif 000002
【実用新案登録請求の範囲】
【請求項１】
相互に着脱自在な継手管及び直管を使用して、少なくとも１組の４本組支柱部１１及びその上部に接続される天井フレーム部１２及びその底部に接続される底フレーム部１３を含んで六面体の稜線を形成するパイプ材組立の箱型ケースフレーム１０と、当該箱型ケースフレーム１０の天井フレーム部１２に、これと同一平面内に継手管及び直管を使用して梯子状に接続されるモーター・ファン搭載フレーム１４と、当該箱型ケースフレームの底部フレーム部内に継手管及び直管を使用して並列状に接続される底補強フレーム１６と、前記箱型ケースフレーム１０の前記天井フレーム部１２及び底フレーム部１３の間の４本の支柱部に継手管及び直管を使用して水平面状に接続され、中央部長手方向にハンガーパイプを有してパイプ材組立により付設される、少なくとも一組のハンガーフレーム１５とからなるパイプケース本体１と、上記パイプケース本体１全体を、底部フレーム部を除いて上部から被冠して覆い、上部にモーター・ファン挿通口２１を有すると共にその前面に開閉可能な垂れ幕状の開閉カバー２２備えた通気性カバー本体２と、前記モーター・ファン搭載フレーム１４に、カバー本体２の挿通口２１を挿通して搭載設置されるモーター・ファン３と、前記パイプケース本体１の下端にキャスター継手４０を介して組立てられるキャスター４と、前記支柱部の任意の１つに取付けたモーター・ファンを作動する操作盤５とを備え、天井フレーム部１２に接続されたモーター・ファン搭載フレームに搭載のモーター・ファンから底移フレームを通じて下方に送風し、底フレーム部１３にキャスター継手接続前記通気性カバー本体２の下端と床面との間に形成した排風空隙を通じて排風可能とし、これによりハンガーフレームに懸架しカーテンを閉じカバー本体内に収容した洗濯物を下方への加圧した風流により通気性カバー本体の側面から送風排出可能とすると共に、主として下部四方の排風空間を通じて排出し、収容した洗濯物を乾燥するようにした簡易組立式送風型衣類乾燥機。
【請求項２】
請求項１において、前記キャスター４は直交する３方向継手管を含むキャスター継手部材４０の下端にキャスター部材４３を取外し自在に接続したキャスターであって、キャスター部材４３の取付板４４を、キャスター継手部材４０のコーナー基盤４１の４隅に形成した台座を介して接続可能とし、コーナー基盤４１における３方向継手基部のみの1穴台座とし残りの３隅を２穴の台座とし、キャスター部材４３の取付け位置を直角に変更可能とした簡易組立式送風型衣類乾燥機。
【請求項３】
請求項１又は２において、前記キャスター４は直交する３方向継手管を含むキャスター継手部材の下端にキャスター部材を取外し自在に接続したキャスターであって、当該キャスターに傾斜スイッチ４５を付設し、乾燥機の傾斜を検知して、モーター・ファンの稼働を停止可能とした簡易組立式送風型衣類乾燥機。
【考案の詳細な説明】
【技術分野】
【０００１】
本考案は、衣類乾燥機に関し、特に、一般家庭の手狭な住居内部屋にても簡単に組立・分解ないし移動可能とした簡易組立式送風型衣類乾燥機に関する。
【背景技術】
【０００２】
洗濯物の乾燥は従来から太陽熱と自然風による天日干しが理想である。しかし、共働き世帯や高層マンション住いの家庭では、時間的、空間的に制約されることが多く、日中の天日干しを利用しやすい環境とはいえない。東日本大災害による原発事故の影響、各種樹木の花粉、ほこり、火山灰等による粉塵、黄砂等の季節、災害時に発生する飛散物質からそれらの付着を回避するため、却って天日干しを避けることを考慮しなければならない。さらに、日本家屋では概して狭い部屋が多く、天日干しができない家庭が大半である。このため、家中に洗濯物や布団を干す環境を確保することが困難であるというのが現状である。
以上の状況下において、外部環境からの保護と家屋内の狭い空間での洗濯物等の乾燥を簡単に行うことのできる乾燥装置の開発が早急に要望されている。
【０００３】
特に、今度の福島原発、浜岡原発その他の原発等の運転停止により、この夏１５％以上の節電により、夏場の需要を賄うべく、電力不足を乗り切っていかなければならないという制約条件が課せられようとしている。
斯かる状況下にあって、これまで洗濯物の乾燥装置を付設した各種全自動洗濯機等が普及している。しかし、全自動洗濯機の温風乾燥モードにて使用する場合、消費電力が８００〜１３００Ｗ前後の高いものであった。また、これらの装置にあっては、洗濯物がドラム回転時に布地を傷めるなどの課題が残されており、また電気料金も時間当たり２５円〜３０円前後と高価なものであった。
【先行技術文献】
【特許文献】
【０００４】
【特許文献１】特開２０１１−１０９８７
【特許文献２】実開平７−１８３３号
【考案の概要】
【考案が解決しようとする課題】
【０００５】
本考案は、家屋内の狭い空間での洗濯物等の乾燥が簡単にでき、容易に分解・組立が可能で、衣類のシワを生じない乾燥を可能とし、省エネ効果を有する衣類乾燥機を提供するものである。
【課題を解決するための手段】
【０００６】
本考案は、上記の状況に鑑みこれを解決するためになされたものであって、相互に着脱自在な継手管及び直管を使用して、少なくとも１組の４本組支柱部１１及びその上部に接続される天井フレーム部１２及びその底部に接続される底フレーム部１３を含んで六面体の稜線を形成するパイプ材組立の箱型ケースフレーム１０と、当該箱型ケースフレーム１０の天井フレーム部１２に、これと同一平面内に継手管及び直管を使用して梯子状に接続されるモーター・ファン搭載フレーム１４と、当該箱型ケースフレームの底部フレーム部内に継手管及び直管を使用して並列状に接続される底補強フレーム１６と、前記箱型ケースフレーム１０の前記天井フレーム部１２及び底フレーム部１３の間の４本の支柱部に継手管及び直管を使用して水平面状に接続され、中央部長手方向にハンガーパイプを有してパイプ材組立により付設される、少なくとも一組のハンガーフレーム１５とからなるパイプケース本体１と、上記パイプケース本体１全体を、底部フレーム部を除いて上部から被冠して覆い、上部にモーター・ファン挿通口２１を有すると共にその前面に開閉可能な垂れ幕状の開閉カバー２２備えた通気性カバー本体２と、前記モーター・ファン搭載フレーム１４に、カバー本体２の挿通口２１を挿通して搭載設置されるモーター・ファン３と、前記パイプケース本体１の下端にキャスター継手を介して組立てられるキャスター４と、前記支柱部の任意の１つにモーター・ファンを作動する操作盤５とを備え、天井フレーム部１２に接続されたモーター・ファン搭載フレームに搭載のモーター・ファンから底移フレームを通じて下方に送風し、前記通気性カバー本体２の下端と床面との間に形成した排風空隙を通じて排風可能とし、これによりハンガーフレームに懸架しカーテンを閉じカバー本体内に収容した洗濯物を下方への加圧した風流により通気性カバー本体の側面から送風排出可能とすると共に、主として下部四方の排風空間を通じて排出し、収容した洗濯物を乾燥するようにした簡易組立式送風型衣類乾燥機を提供する。
【０００７】
また本考案は、上記した簡易組立式送風型衣類乾燥機において、前記キャスター４は直交する３方向継手管を含むキャスター継手部材４０の下端にキャスター部材４３を取外し自在に接続したキャスターであって、キャスター部材４３の取付板４４を、キャスター継手部材４０のコーナー基盤４１の４隅に形成した台座を介して接続可能とし、コーナー基盤４１における３方向継手基部のみの1穴台座とし残りの３隅を２穴の台座とし、キャスター部材４３の取付け位置を直角に変更可能とした簡易組立式送風型衣類乾燥機を提供する。
【０００８】
さらに本考案は、上記した簡易組立式送風型衣類乾燥機において、前記キャスター４は直交する３方向継手管を含むキャスター継手部材の下端にキャスター部材４３を取外し自在に接続したキャスターであって、当該キャスター４０に傾斜スイッチを付設し、乾燥機の傾斜を検知して、モーター・ファンの稼働を停止可能とした簡易組立式送風型衣類乾燥機をも提供する。
【考案の効果】
【０００９】
本考案によれば、特別の広い場所を新たに確保する必要とすることなく、一般の家庭でも洗濯後の大型の衣類の乾燥を確実に行なうことができ、しかも簡易組立可能とした送風型衣類乾燥機を提供する。
本考案によれば、衣類乾燥機は、直管、継手管によりケースフレームを簡単に組立てることができ、またこのケースフレームに対し、前記同様直管、継手管により強制送風するモーター・ファン搭載フレーム、洗濯物を吊り下げる棚フレームを組み付けることにより簡単に組立が可能である。
本考案の簡易組立可能とした送風型衣類乾燥機によれば、ファンモーターとして、コンデンサーモーター（１００Ｖ２２Ｗ）の小型モーターを利用することによっても、衣類乾燥に要する所望の性能を確保できることを見出し、これにより、消費電力の少ない、廉価な乾燥機を提供することができ、さらに、省エネ効果を上げることができ、ＣＯ２の削減に資する装置を提供するということができる。このことは、環境に優しい風力主体の乾燥装置でもあるといえる。
以下、図面に基づいて簡易組立式送風型衣類乾燥機についてさらに詳細に説明する。
【図面の簡単な説明】
【００１０】
【図１】簡易組立式送風型衣類乾燥機の分解図である。
【図２】簡易組立式送風型衣類乾燥機の使用状態（乾燥作業状態）を示す図である。
【図３】簡易組立式送風型衣類乾燥機使用直前、又は使用終了後に、開閉カバーを開放して示す、洗濯物吊下収納状態の図である。
【図４】モーター・ファンの搭載状態を示す斜視図であり、（ａ）は上方斜視図、（ｂ）は下方斜視図をそれぞれ示す。
【図５】キャスターの斜視図であり、（ａ）はキャスター組立斜視図、（ｂ）はキャスター管継手の下方斜視図、（ｃ）はキャスター管継手にキャスター部材を螺着した下方斜視図をそれぞれ示す。
【図６】傾斜スイッチを備えたキャスターの別の実施例を示す図であり、（ａ）はキャスター組立斜視図、（ｂ）はキャスター管継手とキャスター部材の螺着構造をそれぞれ示す。
【考案を実施するための形態】
【００１１】
本考案は、相互に着脱自在な３方口又は４方口等の継手管及び直管、キャスター部品を利用して、パイプケース本体としての枠組みを簡単に組立てることができると共に、当該パイプケース本体に、カバー本体を被冠し、天井部にファンモーターを搭載して簡単に据付けることができる。これにより、狭い空間用のコンパクトな乾燥機として迅速な組立が可能であり、組立後の乾燥機使用時においては、乾燥のための吊し洗濯物に対し洗濯物重力に逆らわない順方向として、上方から下方に強制送風し、その際内部に幾分加圧状態を保持しながらカバー全周からも誹風しつつ主として下方キャスター脚部から排出し、これによりシワのない衣類乾燥を行うことができる。
【実施例】
【００１２】
図１において、本考案に係る簡易組立式送風型衣類乾燥機の分解図が示される。
この簡易組立式送風型衣類乾燥機は、大略、継手管及び直管によりパイプ組みされたパイプケース本体１、ケース本体１に被冠する通気性カバー２、ケース本体天井に搭載し下方に強制送風するモーター・ファン３、ケース本体下端に装着のキャスター４及びファン駆動をする操作盤５から構成される。
ここで、先ずパイプケース本体１について説明する。
【００１３】
図１において、パイプケース本体１は、概略、支柱部１１、天井フレーム部１２及び底部フレーム部１３の六面体の稜線を形成する箱型ケースフレーム１０と、箱型ケースフレーム１０に追加的に組込まれるパイプ組み手段としてのモーター・ファン搭載パイプフレーム１４、ハンガーパイプフレーム１５及び底補強パイプ１６とから構成される。
言い換えれば、相互に着脱自在な継手管及び直管を使用して４本の支柱部１１及びその上部に接続される天井フレーム部１２及びその底部に接続される底部フレーム部１３を含んで六面体の稜線を形成するパイプ材組立の箱型ケースフレーム１０を基礎とし、この箱型ケースフレーム１０にさらに、別途接続追加可能な相互に着脱自在な継手管及び直管のパイプ材を使用して、後述するモーター・ファン搭載パイプフレーム１４、ハンガーパイプフレーム１５及び、底補強パイプ１６を接続することによって組立てられる。
以下、各構成部材にさらに詳細に説明する。
【００１４】
（モーター・ファン搭載フレーム）
図１及び図４に示すように、当該箱型ケースフレーム１０の天井フレーム部１２において、この天井フレーム部１２と同一平面内に、別途継手管及び直管を追加使用して梯子状に接続されるモーター・ファン搭載フレーム１４が組立てられる。梯子状のモーター・ファン搭載フレーム１４は、その長手方向の中間に挿入開口１４ａが形成されている。この挿入開口１４ａに対して、モーター・ファン３の円筒状胴部３４が挿入され、フランジ３３にて受け止めモーター・ファン３を箱型ケースフレーム１０の頂部に支持し搭載可能されている。
【００１５】
（補強フレーム）
図１に示すように、当該箱型ケースフレーム１０の底部フレーム１３は、上記同様、別途継手管及び直管を使用して、底部フレーム１３の内側平面内に、長手方向に並列状に接続される底補強フレーム１６を接続・組付けすることができる。
【００１６】
（ハンガーフレーム）
本考案において、図１に示すように、さらに、前記箱型ケースフレーム１０の高さ方向中間に、洗濯物をハンガーＨ使用によって吊下可能とするためハンガーパイプフレーム１５が追加的に組立てられる。具体的には前記箱型ケースフレーム１０の４本の支柱部１２に、別途継手管及び直管を使用して、図示構造を有する水平面状にハンガーパイプフレーム１５が接続組立てられる。水平面内中央横方向に１本のハンガー用パイプを渡して組立付設される。この一群のハンガーパイプフレーム１５は、図１の例では、天井フレーム１２に寄せた位置に上段ハンガーフレーム１５Ａを備え、支柱部１２の略中間位置に、中段ハンガーフレーム１５Ｂを備えて示される。
ハンガーフレーム１５は、長い洗濯物のみの場合には段数は１段としたものでもよく、長い洗濯物と、短い洗濯物の両者を収容して使用する場合には、２段目はハンガーパイプに長さを半分としたものを接続したものでも差し支えない。
【００１７】
（カバー本体）
カバー本体２は、図１、図２及び図３に示すように、前記ケース本体１全体をその上部から被冠して覆う好ましくは不織布製のカバー本体である。カバー本体２は、図１に示すように、その上部に挿通口２１を有し、また、図３に示すように、その前面にカーテン状に吊下され横方向開閉可能であると共に、その閉鎖時にカバー本体前面の開口を覆う垂れ幕状の開閉カバー２２備えている。また、前記開閉カバー２２の側面と開口の側面には適宜位置には面ファスナー（図示省略）を備え、乾燥作業時には開口をこの開閉カバーより閉鎖する。
図２及び図３に示すように、カバー本体２の底は開放され、後述するように、組立てられた前記箱型ケースフレームに被冠された前記通気性カバー下端と床面との間に上方から強制された乾燥風を排出する逃げ道を構成するため、排風空間を形成する丈に寸取りされている。
【００１８】
（モーター・ファン）
モーター・ファン３は、図４に示すように、送風機としてのモーター及びファンを収容する胴部３４を有し、前記不織布製カバー本体２の挿通口２１に当該胴部３４が挿通可能とされ、挿通後そのフランジ３３にてモーター・ファン３が搭載支持される。その後、カバー本体２の挿通口２１を挿通して載置されたモーター・ファン３は、外面にファンカバー３２が嵌合等により適宜手段により取着される。なお、前記した梯子状モーター・ファン搭載フレーム１４の挿通開口１４ａに胴部３４を挿通し搭載するに際して、モーター・ファンフランジ３３の裏面には、図４（ｂ）に示すようにＬ字突起３５を有し、このＬ字突起３５を前述の挿通開口１４ａの４隅に各嵌合させることにより非回転的に位置決めた装着が可能となる。
【００１９】
（キャスター）
図１及び図５に示すように、キャスター４は、３方継手管構造のキャスター継手４０とコーナー板４１裏面に備えた図示４個の台座４２に対し、市販の車輪を回動自在軸支する取付座板付きキャスター部材４３をねじ止着し組立てられた部品を総称するものとする。
本考案においては、このキャスター４が、前記パイプケース本体１の各支柱部１１下端に底部フレーム部１３と共に組立てられる。この組立状態において、前記通気性カバー下端と床面との間に排風空間が形成される。
【００２０】
前記キャスター４は上記したように直交する３方向継手管を含むキャスター継手部材４０はコーナー基盤４１を有し、このコーナー基盤４１の下端にキャスター部材４３の取付座板４４を取外し自在に接続したキャスターであって、キャスター部材４３の取付座板４４を、キャスター継手部材４０のコーナー基盤４１の４隅に形成した台座を介して接続可能とされる。4隅の台座は、コーナー基盤４１における３方向継手基部のみの1穴台座とし残りの3隅を２穴の台座となっている。これによって、キャスター部材４３の取付座板４４が長方形の場合には、その取付け位置を、取付座板４４の形状に適合させるべく、回転方向に９０度位置変更して取り付けつけることができる。
【００２１】
（操作盤）
図１に示すように、前記支柱部１１の任意の１本、好ましくは簡易組立式送風型衣類乾燥機カバー本体２の前面開閉カバー２２近傍に内側の適宜の高さ位置に、モーター・ファンを操作するための操作盤５が設置される。
【００２２】
（乾燥作業）
簡易組立式送風型衣類乾燥機に使用に当っては、先ず、組立てられた通気性カバー被冠され且つモーター・ファンの搭載された簡易組立式送風型衣類乾燥機において、図３に示すように、不織布等で製作された前面の開閉カバー２２を開いて、ハンガーフレーム１５に洗濯物をハンガーＨにより吊下し内部の乾燥室空間内に収容し、次いで操作盤５を操作してモーター・ファン３を稼働し、図２に示すように、開閉カバー２２を閉じる。この状態で、モーター・ファン３の稼働により天井フレーム部１２から底フレーム１３へ向けて下方に強制送風される。これによりカバー本体２内に収容した洗濯物に下方への風流を与えながら洗濯物を乾燥させる。この送風乾燥時において、主として下部四方の排風空間を通じて排出されるが、同時に通気性カバーの周囲からも、適宜量の送気の排出が行なわれる。このカバー周囲からの排出量は下方への風量よりも少ない。
【００２３】
実際、乾燥に供する収容洗濯物として、洗濯終了後脱水機により７〜１０分掛けて脱水し、その後、脱水処理済み洗濯物をハンガーなどの各種干し物用具を用いて簡易組立式送風型衣類乾燥機内に吊下収納した。
その後、吊し収納した洗濯物（半乾物３〜４Ｋｇ）に、モーター・ファン毎時８００ｍ3の送風量を以って、上方より下方に向かって送風し水分を蒸発させた。このときコンデンサーモーター（１００Ｖ２２Ｗ）使用において、洗濯物は風圧により殆どシワをなくすることができた。
【００２４】
なお、継手管、直管等の管材としてステンレスパイプを使用するので、湿気に強く錆びの問題が生じる虞はない。ケース全体は、市販のパイプ材を使用して簡単に組立ができ、下部４隅に自在キャスターを設置し、狭い室内でも自由に移動させることができる。
パイプ組立の箱型ケースフレーム１０に関しては、図１に示すように、上下２段継ぎ足しになる上段支柱部群、下段支柱部群、天井フレーム部群、底部フレーム群の４分割に組立・分解可能な構造とすることができ、この場合における箱型ケースフレーム１０係る寸法（単位ｃｍ）は、高さ１９００×奥行き５３０×幅８１０であり、畳１畳の１／３位のスペースで済むものとすることができるものであった。
【００２５】
被冠するカバー体は、吸湿性、通気性に優れた材質の不織布を使用することにより、カバー自体にも多くの保水性を保たせ、衣類の湿気を強制送風に載せて速やか吸収し、乾燥を促進することができる。
またカバー材質について、テストの結果、送風機の風量が８００ｍ3（Ｈ）と大風量になるため、上記した不織布よりポリエステル１００％の通気性の大きな布地が好都合であった。
本考案は、衣類乾燥機本体内にこれに吊下されている洗濯物の上方から下方に強制送風し排出するようにしたので、洗濯物の重力に逆らって風を流した場合に生じる、洗濯物のシワが形成されることがないので、乾燥すべき洗濯物にシワが生じることはなく、むしろシワを伸ばす効果がある。
そして、前記衣類乾燥機本体の下部に移動可能するキャスターを簡単に組付け可能に設けてあるので、組立設置が簡単であると共に当該衣類乾燥機を所望の場所に自由に容易に移動させうる効果がある。
また、前記モーター・ファン装置を搭載フレームに非回転的に配設し、支柱部に操作盤を設置し全体的にコンパクトな配置を可能とする効果がある。
また、衣類乾燥機本体の下方全周から排出するようにしたので、内部に収容された洗濯物を効率よく、ほぼ均等に乾燥させることができる。
【００２６】
（傾斜スイッチ）
本考案において、前記キャスター４に傾斜スイッチ４５を付設し、これによって、乾燥機の傾斜を検知して、モーター・ファンの稼働を停止可能とした。本考案によれば、簡易組立式送風型衣類乾燥機は常に垂直方向維持された状態で乾燥作業が行われ、傾斜した場合に吊下された洗濯物が密着して偏り通路を塞ぐ惧れがないので、これによって、前記モーター・ファン装置からの送風方向を常に鉛直方向に維持する送風通路を確保できているので、衣類の乾燥を円滑に行い、シワのない衣類乾燥処理を実行することが可能となる。
【符号の説明】
【００２７】
１  パイプケース本体
１０  箱型ケースフレーム
１１  支柱部
１２  天井フレーム部
１３  底フレーム部
１４  モーター・ファン搭載フレーム
１４ａ  挿入開口
１５  ハンガーフレーム
１５Ａ  上部ハンガーフレーム
１５Ｂ  中段ハンガーフレーム
１６  補強フレーム
２  通気性カバー
２１  挿通口
２２  開閉カバー
３  モーター・ファン
３１  ファンモーター
３２  ファンカバー
３３  フランジ
３４  胴部
３５  Ｌ字突起
４  キャスター
４０  キャスター継手
４１  コーナー板
４２  台座
４３  車輪部材
４４  取付け座板
４５  傾斜スイッチ
５  操作盤
【図１】
0003171353.tif 000003
【図２】
0003171353.tif 000004
【図３】
0003171353.tif 000005
【図４】
0003171353.tif 000006
【図５】
0003171353.tif 000007
【図６】
0003171353.tif 000008